(57)【要約】【課題】屋根の棟部分に設けられる換気装置であって、内部の構造を複雑なものとすることなく、換気装置に必要な防水機能を簡単に且つ経済的に高めることができる換気装置を提供する。【解決手段】屋根４の棟部分に設けた屋根開口部７の上方側に下部材１２を設け、この下部材１２の上方側に上部材１３を設け、この上部材１３の上方側に覆い部材１４を設け、覆い部材１４及び上部材１３は上壁２２，２７とこの上壁２２，２７の梁行方向両縁から下方側に延びる側壁２３，２８とを備えており、これら覆い部材１４と上部材１３との間を、梁行方向一端側から他端側にわたって空気を流通させる通風路３７とすると共に、覆い部材１４の側壁２８下端と屋根４との間を通風路３７の出入口３０とし、下部材１２と上部材１３との間を屋根開口部７からの空気を排気させる排気通路３５とし、この排気通路３５を通風路３７に連通させる連通口２５を上部材１３の上壁２２に設け、上部材１３の側壁２３から軒側に向けて突出する風きり壁６０を設ける。【選択図】      図１
2004257196.tif 000002
【特許請求の範囲】
【請求項１】
屋根（４）の棟部分に屋根開口部（７）を設け、この屋根開口部（７）の上方側に該屋根開口部（７）を覆うように下部材（１２）を設け、この下部材（１２）の上方側に該下部材（１２）を覆うように上部材（１３）を設け、この上部材（１３）の上方側に該上部材（１３）を覆うように覆い部材（１４）を設け、覆い部材（１４）と上部材（１３）との間を、梁行方向一端側から他端側にわたって空気を流通させる通風路（３７）とし、下部材（１２）と上部材（１３）との間を屋根開口部（７）から通風路（３７）へと空気を排気させる排気通路（３５）とした屋根の換気装置において、
前記通風路（３７）の空気の出入口（３０）の内側に、該出入口（３０）から侵入する風の勢いを抑制するように、軒側から棟側に向けて凹設状とされた風圧抑制部（６１）を設けたことを特徴とする屋根の換気装置。
【請求項２】
屋根（４）の棟部分に屋根開口部（７）を設け、この屋根開口部（７）の上方側に該屋根開口部（７）を覆うように下部材（１２）を設け、この下部材（１２）の上方側に該下部材（１２）を覆うように上部材（１３）を設け、この上部材（１３）の上方側に該上部材（１３）を覆うように覆い部材（１４）を設け、覆い部材（１４）及び上部材（１３）は上壁（２７，２２）とこの上壁（２７，２２）の梁行方向両縁から下方側に延びる側壁（２８，２３）とを備えており、これら覆い部材（１４）と上部材（１３）との間を、梁行方向一端側から他端側にわたって空気を流通させる通風路（３７）とすると共に、覆い部材（１４）の側壁（２８）下端と屋根（４）との間を通風路（３７）の空気の出入口（３０）とし、下部材（１２）と上部材（１３）との間を屋根開口部（７）からの空気を排気させる排気通路（３５）とし、この排気通路（３５）を通風路（３７）に連通させる開口（２５）を上部材（１３）の上壁（２２）に設けた屋根の換気装置において、
上部材（１３）の側壁（２３）から軒側に向けて突出する風きり壁（６０）を設けたことを特徴とする屋根の換気装置。
【請求項３】
風きり壁（６０）を上部材（１３）の側壁（２３）の上下中途部に設け、開口（２５）を上部材（１３）の上壁（２２）から側壁（２３）の風きり壁（６０）上方側に亘って形成したことを特徴とする請求項２に記載の屋根の換気装置。
【請求項４】
覆い部材（１４）の側壁（２８）下端に、棟側に向けて延びるガイド壁（２９）を設けたことを特徴とする請求項２又は３に記載の屋根の換気装置。
【請求項５】
屋根（４）の棟部分に屋根開口部（７）を設け、この屋根開口部（７）の上方側に該屋根開口部（７）を覆うように下部材（１２）を設け、この下部材（１２）の上方側に該下部材（１２）を覆うように上部材（１３）を設け、この上部材（１３）は上壁（２２）とこの上壁（２２）の梁行方向両縁から下方側に延びる側壁（２３）とを備えており、下部材（１２）と上部材（１３）との間に屋根開口部（７）からの空気を排気させる排気通路（３５）を設けると共に、上部材（１３）の上壁（２２）の軒側の端部側に、前記排気通路（３５）の空気を排気する開口（２５）を形成している屋根の換気装置において、
前記上部材（１３）の上壁（２２）に形成された開口（２５）の近傍に、上部材（１３）の側壁（２３）から軒側に向けて突出する風きり壁（６０）を設けたことを特徴とする屋根の換気装置。
【請求項６】
上部材（１３）の上方側に該上部材（１３）を覆うように覆い部材（１４）を設けており、この覆い部材（１４）と上部材（１３）との間を、梁行方向一端側から他端側にわたって空気を流通させる通風路（３７）としていることを特徴とする請求項５に記載の屋根の換気装置。
【発明の詳細な説明】
【０００１】
【発明の属する技術分野】
本発明は、屋根の換気装置に関するものである。
【０００２】
【従来の技術】
従来、屋根の換気装置として、屋根の棟部分に屋根開口部を設け、この屋根開口部の上方側に該屋根開口部を覆うように下部材を設け、この下部材の上方側に該下部材を覆うように上部材を設け、この上部材の上方側に該上部材を覆うように覆い部材を設け、覆い部材及び上部材は上壁とこの上壁の梁行方向両縁から下方側に延びる側壁とを備えており、これら覆い部材と上部材との間を、梁行方向一端側から他端側にわたって空気を流通させる通風路とすると共に、覆い部材の側壁下端と屋根との間を通風路の空気の出入口とし、下部材と上部材との間を屋根開口部からの空気を排気させる排気通路とし、この排気通路を通風路に連通させる連通口を上部材の上壁の軒側の端部側に設けたものがある（特許文献１参照）。
【０００３】
この屋根の換気装置にあっては、雨等の水が通風路の出入口から風と共に入ってくるので、この水が連通口，排気通路及び屋根開口を介して屋根裏に侵入するのを防止する必要がある。
この屋根裏への水の侵入を防止するために、従来のものにあっては、下部材から排気通路内に立ち上がる防水桟と、上部材から排気通路内に垂れ下がる防水桟とを空気の流通方向に交互に設けて、排気通路をラビリンス構造としている。
また、他の構造の屋根の換気装置として、屋根の棟部分に屋根開口部を設け、この屋根開口部の上方側に該屋根開口部を覆うように下部材を設け、この下部材の上方側に該下部材を覆うように上部材を設け、この上部材は上壁とこの上壁の梁行方向両縁から下方側に延びる側壁とを備えており、下部材の棟側には、屋根開口部に対応する排気口が形成され、下部材と上部材との間を屋根開口部からの空気を排気させる排気通路とすると共に、上部材の上壁の軒側に、前記排気通路の空気を排気する開口を形成しているものがある（特許文献２参照）。
【０００４】
この換気装置にあっては、上方から降ってきて、上部材の上壁に形成された開口から侵入する雨水等は、上部材の側壁下端と下部材との間に設けられた排水用開口から排水されるようになっている。
【０００５】
【特許文献１】
特開２００１−２５４４９２号公報  （第４〜６頁、図１）
【特許文献２】
特開平１０−１０２７０７号公報  （図１）
【０００６】
【発明が解決しようとする課題】
前記特許文献１に記載の屋根の換気装置にあっては、防水桟の数を多くすればするほど防水効果は大きいが、部品点数が多くなり、また組み付け工数も増えることで、経済的に不利であるという問題がある。
また、特許文献２に記載の屋根の換気装置にあっては、梁行方向一方から他方に流れる横風が吹いた場合、該横風は、上部材の上壁上面に沿って流れるため、上部材の上壁に形成された開口から侵入し易く、このため、横風と共に開口から侵入した雨水等が排気通路を経て屋根開口部から屋根裏へと侵入する可能性が大きい（この問題は特許文献１でも同様である）。
【０００７】
この横風と共に侵入してくる雨水等の屋根裏への侵入を完全に防ぐには、通常内部（上部材と下部材との間）に複雑なラビリンス構造を採ることが考えられるが、内部に複雑なラビリンス構造を採ると、前記と同様の問題が生じる。
そこで、本発明は、前記問題点に鑑み、内部の構造を複雑なものとすることなく、必要な防水機能を簡単に且つ経済的に高めることのできる屋根の換気装置を提供することを目的とするものである。
【０００８】
【課題を解決するための手段】
本発明が課題を解決するために講じた技術的手段は、屋根の棟部分に屋根開口部を設け、この屋根開口部の上方側に該屋根開口部を覆うように下部材を設け、この下部材の上方側に該下部材を覆うように上部材を設け、この上部材の上方側に該上部材を覆うように覆い部材を設け、覆い部材と上部材との間を、梁行方向一端側から他端側にわたって空気を流通させる通風路とし、下部材と上部材との間を屋根開口部から通風路へと空気を排気させる排気通路とした屋根の換気装置において、
前記通風路の空気の出入口の内側に、該出入口から侵入する風の勢いを抑制するように、軒側から棟側に向けて凹設状とされた風圧抑制部を設けたことを特徴とする。
【０００９】
また、他の技術的手段は、屋根の棟部分に屋根開口部を設け、この屋根開口部の上方側に該屋根開口部を覆うように下部材を設け、この下部材の上方側に該下部材を覆うように上部材を設け、この上部材の上方側に該上部材を覆うように覆い部材を設け、覆い部材及び上部材は上壁とこの上壁の梁行方向両縁から下方側に延びる側壁とを備えており、これら覆い部材と上部材との間を、梁行方向一端側から他端側にわたって空気を流通させる通風路とすると共に、覆い部材の側壁下端と屋根との間を通風路の空気の出入口とし、下部材と上部材との間を屋根開口部からの空気を排気させる排気通路とし、この排気通路を通風路に連通させる開口を上部材の上壁に設けた屋根の換気装置において、
上部材の側壁から軒側に向けて突出する風きり壁を設けたことを特徴とする。
【００１０】
また、風きり壁を上部材の側壁の上下中途部に設け、開口を上部材の上壁から側壁の風きり壁上方側に亘って形成するのがよい。
また、覆い部材の側壁下端に、棟側に向けて延びるガイド壁を設けてもよい。
また、他の技術的手段は、屋根の棟部分に屋根開口部を設け、この屋根開口部の上方側に該屋根開口部を覆うように下部材を設け、この下部材の上方側に該下部材を覆うように上部材を設け、この上部材は上壁とこの上壁の梁行方向両縁から下方側に延びる側壁とを備えており、下部材と上部材との間に屋根開口部からの空気を排気させる排気通路を設けると共に、上部材の上壁の軒側の端部側に、前記排気通路の空気を排気する開口を形成している屋根の換気装置において、
前記上部材の上壁に形成された開口の近傍に、上部材の側壁から軒側に向けて突出する風きり壁を設けたことを特徴とする。
【００１１】
また、前記構成において、上部材の上方側に該上部材を覆うように覆い部材を設けており、この覆い部材と上部材との間を、梁行方向一端側から他端側にわたって空気を流通させる通風路としているのがよい。
【００１２】
【発明の実施の形態】
以下、本発明の第１の実施形態を図にもとづいて説明する。
図１〜４において、１は桁行方向に設けられた棟木であり、２は棟から軒に向けて設けられた垂木であり、これら棟木１と垂木２とで組み上げた（屋根４の）骨組上に野地板３が張り付けられており、この野地板３の上面側には、アスファルトルーフィング等の防水シート５が敷かれ、その上にスレート瓦等の屋根材６を葺くことで屋根４が主構成されている。
【００１３】
この屋根４の棟部分には、垂木２，野地板３及び屋根材６等を切り欠いてなる屋根開口部７が設けられ、この屋根開口部７の上方に、棟を挟む一対の屋根面４ａ間に跨るように、且つ屋根開口部７を覆うように換気装置１０が設けられている。
なお、前記屋根開口部７の梁行方向両縁側には、屋根面４ａを伝って雨水が屋根開口部７から浸入することを防ぐために、屋根面４ａ側から上方側に延びるように設けられた水切り部材１１が設けられている。
【００１４】
また、以下の説明において、屋根流れ方向での棟側を単に棟側、屋根流れ方向での軒側を単に軒側と呼ぶ。
前記換気装置１０は、防腐加工が施された板金等で形成された下部材１２と上部材１３と覆い部材１４とを備えている。
下部材１２は、屋根開口部７の上方側に配置されていて、棟を挟む一対の屋根面４ａ間に跨るように且つ屋根開口部７を覆うように配置されて屋根４に取り付けられている。
【００１５】
上部材１３は、前記下部材１２の上方側に且つ該下部材１２を覆うように（下部材１２に覆い被さるように）配置されていて、該下部材１２に取り付けられている。
覆い部材１４は、前記上部材１３の上方側に且つ該上部材１３を覆うように（上部材１３に覆い被さるように）配置されていて、該上部材１３に取り付けられている。
前記下部材１２は、上壁１６と、この上壁１６の梁行方向（桁行方向に直交する水平方向）の両縁側（上壁１６の両側の軒側の端部）から下方側に（屋根面４ａに向けて）延びる側壁１７と、この各側壁１７の下端から屋根面４ａに沿って梁行方向外方側に延びる設置壁１８とを備えている。
【００１６】
この下部材１２の上壁１６は、梁行方向中央部（屋根４の棟部分）で屈曲されていて屋根面４ａの傾斜に対応する山形状（棟から梁行方向両外方に行くに従って下方に移行する傾斜状）に形成されている。
また、この上壁１６の頂部（梁行方向中央側）には、屋根開口部７に上下方向で対向する（屋根開口部７の上方に位置する）排気口２０が形成されており、この排気口２０は、図２に示すように、桁行方向（下部材１２の長手方向）に長い略矩形状に形成されている。
【００１７】
設置壁１８の軒側先端部は下方に曲げられた上で棟側に折り返された折り返し部１９とされている。
また、この下部材１２は、設置壁１８を屋根面４ａ上に載置し、その上から釘等の締結具３１を野地板３に達するまで打ち込むことで、屋根面４ａ上に固定されている。
設置壁１８と屋根面４ａとの間には、雨水が浸入することを防ぐべく防水材５７が挟み込まれており、また、前記折り返し部１９は、屋根面４ａに圧着するようになっていて、雨水の浸入を防ぐようになっている。
【００１８】
前記上部材１３は、上壁２２と、この上壁２２の梁行方向の両縁側（上壁２２の両側の軒側の端部）から下方側に（屋根面４ａに向けて）延びる側壁２３と、この各側壁２３の下端から屋根面４ａに沿って梁行方向内方側に延びる折曲壁２４とを備えている。
この上部材１３の上壁２２は、下部材１２と同様、梁行方向中央部（屋根４の棟部分）で屈曲されていて屋根面４ａの傾斜に対応する山形状（棟から梁行方向両外方に行くに従って下方に移行する傾斜状）に形成されている。
【００１９】
上部材１３の側壁２３は、下部材１２の側壁１７より軒側に位置する。
また、上部材１３の側壁２３下端の折曲壁２４は、上部材１３と下部材１２との間に一定の空間を保つように下部材１２の設置壁１８上に載置され、この上部材１３と下部材１２との間の空間が屋根開口部７からの空気を排気する排気通路３５となっている。
この排気通路３５は、詳しくは、下部材１２の上壁１６と上部材１３の上壁２２とに挟まれた空間、及び、それに続く下部材１２の側壁１７と上部材１３の側壁２３とに挟まれた空間で構成されている。
【００２０】
なお、上部材１３の折曲壁２４と、下部材１２の設置壁１８との間には、雨水が浸入することを防ぐべく防水材５７が介装されている。
また、上部材１３の上壁２２の梁行方向両端側（上部材１３の上壁２２の両方の軒側）には、それぞれ連通口（開口）２５が設けられており、この連通口２５は、図２に示す如く、桁行方向（上部材１３の長手方向）に長い略矩形状に形成されている。
前記排気通路３５の梁行方向両側には、邪魔板３８が設けられ、この邪魔板３８と下部材１２の側壁１７とで前記排気通路３５がラビリンス（迷路）構造とされている。
【００２１】
この邪魔板３８は、下部材１２や上部材１３とは別の部材であり、連通口２５と桁行方向で略同じ長さに形成されていて、連通口２５に対応する位置に設けられている。
さらに、図３及び図４に示すように、各邪魔板３８は、上部材１３の上壁２２と重合する重合部３９と、この重合部３９の軒側端から梁行方向外方に向かうに従って下方に移行する傾斜方向に延びる傾斜壁部４０と、この傾斜壁部４０の軒側端から屋根面４ａに向けて垂下する垂下壁部４１とを有している。
【００２２】
この邪魔板３８は、重合部３９が上部材１３の上壁２２下面に重合すると共に、垂下壁部４１が連通口２５の棟側縁に略対応する位置に位置するように、上部材１３に取り付けられている。
前記覆い部材１４は、上壁２７と、この上壁２７の梁行方向の両縁側（上壁２７の両側の軒側の端部）から下方側に（屋根面４ａに向けて）延びる側壁２８と、この各側壁２３の下端から屋根面４ａに沿って梁行方向内方側に延びるガイド壁２９とを備えている。
【００２３】
この覆い部材１４の上壁２７は、下部材１２及び上部材１３と同様、梁行方向中央部（屋根４の棟部分）で屈曲されていて屋根面４ａの傾斜に対応する山形状（棟から梁行方向両外方に行くに従って下方に移行する傾斜状）に形成されている。
また、この覆い部材１４の側壁２８は、上部材１３の側壁２３より軒側に位置する。
この覆い部材１４は、上部材１３との間に一定の空間を保つように、上部材１３の上方に配置されており、かかる覆い部材１４と上部材１３との間の空間が、梁行方向一端側から他端側にわたる通風路３７とされている。
【００２４】
すなわち、上部材１３と覆い部材１４との上壁２２，２７間、及び、側壁２３，２８間の空間が通風路３７であり、覆い部材１４の側壁２８の下端は、屋根面４ａと所定間隔をおいて位置しており、この覆い部材１４の側壁２８の下端と屋根面４ａとの間（図例では、覆い部材１４の側壁２８の下端と下部材１２の設置壁１８との間）が、通風路３７の空気（風）の出入口３０とされている。
また、通風路３７は、前記連通口２５を介して排気通路３５と連通されている。
【００２５】
前記上部材１３の上壁２２上面の梁行方向両側の端部側には（連通口２５の近傍には）、上部材１３の側壁２３の上端から軒側に向けて突出する風きり壁６０が設けられている。
この風きり壁６０は、上部材１３の上壁２２に桁行方向にわたって重合固定され、風きり壁６０の、上部材上壁２２と重合する部分の、連通口２５に対応する部分は切り欠かれている。
また、この風きり壁６０は、覆い部材１４の側壁２８下端（出入口３０上縁、ガイド壁２９）よりも上方に位置する。
【００２６】
この風きり壁６０と、上部材１３の側壁２３と、下部材１２の設置壁１８とで、軒側から棟側に向けて凹設状とされた風圧抑制部６１が構成されている。
本実施の形態に係る換気装置１０における換気は以下のように行われる。
すなわち、外部からの空気は、図１に点線の矢印ｂで示す如く、通風路３７の一方の出入口３０から侵入し、通風路３７内を通って通風路３７の他方の出入口３０から外部に排出される。
一方、屋根開口部７からの排気は、図１に実線の矢印ａで示す如く、排気口２０を通って排気通路３５に入り、連通口２５まで到達し、この連通口２５を介して屋根４内部からの排気が通風路３７に入り込み、通風路３７の出入口３０から外部に排気される。
【００２７】
また、通風路３７の出入口３０から侵入した外気は、連通口２５から排気通路３５に侵入する場合があり、このとき、通風路３７の出入口３０から侵入する風の勢いが強いと、前記風きり壁６０がない場合、該風と一緒に雨水等の水が侵入してきたときに、該水が連通口２５を介して排気通路３５に入り、屋根裏に至ることとなる（風きり壁６０を設けないと、図３に点線ｃで示すように、通風路３７の出入口３０から侵入する横風は、上部材１３の上壁２２上面に沿って、通風路３７内を低い位置で流れるため、連通口２５から侵入しやすい）。
【００２８】
しかしながら、本実施の形態にあっては、通風路３７の出入口３０を介して外部から屋根面４ａに沿って侵入した風（外気）は、図３に実線ｄで示すように、上部材１３の側壁２３外面に沿って上方に向き変更すると共に風きり壁６０にガイドされて向き変更し、該風きり壁６０の軒側の端部側を迂回して通風路３７の、上部材１３と覆い部材１４との上壁２２，２７間部分に流れる。
したがって、風きり壁６０が出入口３０から侵入して通風路３７を流通する風の流通の抵抗となり、該風きり壁６０によって通風路３７の出入口３０から侵入する風の勢いが抑制されるようになっている。
【００２９】
このように、風きり壁６０によって通風路３７の出入口３０から侵入する風の勢いを抑制することにより、雨水等の侵入を通風路３７の出入口３０の内側付近で防止し、連通口２５を介しての排気通路３５への水の侵入を防止できる。
また、換言すると、本発明にあっては、通風路３７の空気の出入口３０の内側に、風圧抑制部６１を設けることにより、出入口３０から侵入する風の風圧を著しく低下させることができ、これにより、屋根裏への水の侵入を防止することができ、内部の構造を複雑なものとすることなく、換気装置１０に必要な防水機能を簡単に且つ経済的に高めることができる。
【００３０】
また、前記構成のものにあっては、図３に実線ｄで示すように、通風路３７の出入口３０から侵入する横風は、風切り壁６０によって通風路３７の高い位置に流されるため、該横風が連通口２５から内部へ侵入し難いこととなり、これにより、横風に対する防水性が高められているともいえる。
また、覆い部材１４の側壁２８下端に設けられた、棟側に向けて延びるガイド壁２９によって、通風路３７の出入口３０を介して外部から屋根面４ａに沿って侵入する風を風圧抑制部６１へと案内でき、これによって、前述した風の勢いの抑制効果を高めることができる。
【００３１】
また、本実施の形態では、一定の空間を保持しながら、換気装置１０の各部材１２，１３，１４を上下方向に配置するために、図１，４に示す如く、当該換気装置１０には、下部材１２と上部材１３とを連結する第１連結部材４４と、上部材１３と覆い部材１４とを連結する第２連結部材４５とが設けられている。
これら第１連結部材４４及び第２連結部材４５は、剛性のある片状の金具により構成されている。
第１連結部材４４は、上壁部４６と、上壁部４６の屋根流れ方向両縁から下方に突出した一対の垂下部４７と、各垂下部４７の先端から棟側に突出して上壁１６に接する下壁部４８とを有している。
【００３２】
第２連結部材４５は、第１連結部材４４と略同一の形状であって、上壁部４６と、上壁部４６の屋根流れ方向両縁から下方に突出した一対の垂下部４７と、各垂下部４７の先端から棟側に突出して上壁２２に接する下壁部４８とを有している。
屋根面４ａ上に配置された下部材１２において、下部材１２の上壁１６の外側（上面側）で且つ軒側に第１連結部材４４の下壁部４８が当接するように配置され、リベット等で互いが締結されている。このとき、垂下部４７から下壁部４８が棟側に突出するように第１連結部材４４は配置されている。
【００３３】
この第１連結部材４４の上方から上部材１３が覆い被さるように配置されている。すなわち、上部材１３の上壁２２の内側（下面側）で且つ軒側に、前記第１締結部材の上壁部４６が接するようになっている。
加えて、第１連結部材４４と上部材１３の上壁２２との間には、前記邪魔板３８の重合部３９が挟み込まれており、上部材１３の上壁２２の外側からビス等の締結具３３により、第１連結部材４４と上部材１３と邪魔板３８とが互いに連結されて一体となっている。
【００３４】
この第１連結部材４４の垂下部４７により、上部材１３と下部材１２との間に上下方向に一定の空間が形成され、排気通路３５が形成されている。
前記上部材１３の上壁２２の外側で且つ軒側には、第２連結部材４５の下壁部４８が棟側を向き且つ当接するように配置され、リベット等で互いが締結されている。
また、風きり壁６０の上部材上壁２２との重合部分は、第２連結部材４５の軒側の下壁４８と上部材上壁２２との間に挟み込まれてリベット等の締結具３２によって、風きり壁６０と第２連結部材４５の軒側の下壁４８と上部材１３の上壁２２とが強固に連結されている。
【００３５】
また、第２連結部材４５の棟側の下壁部４８と、上部材１３の上壁２２と、前記邪魔板３８の重合部３９とは、リベット等の締結具３２で固定されており、強固に連結されている。
第２連結部材４５の上壁部４６には、覆い部材１４の上壁２７の内側で且つ軒側が当接するようになっている。その上で、上壁２７の外側からビス等の締結具３３で両者を締結するようになっている。
この第２連結部材４５の垂下部４７により、覆い部材１４と上部材１３との間に上下方向に一定の空間が形成され、その部分が通風路３７となっている。
【００３６】
前記第１及び第２連結部材４５の幅は、覆い部材１４及び上部材１３及び下部材１２を連結し支えるに足る強度を有するものであればよい。
また、第１及び第２連結部材４５は、上下で略一致する位置に設けられ、桁行方向には略同一間隔をもって設けられているが、位置ズレしていてもよい。
一方、前記換気装置１０の桁行方向両側にあっては、図２に示す如く、下部材１２の両側に、上方から棟上の棟包み５０が覆い被さるように配置されて、下部材１２の上壁１６上に棟包み５０の上壁部５１の棟側（梁行方向中央側）が面接するようになっている。
【００３７】
上部材１３の桁行方向両側には、それぞれ閉塞板５４が設けられており、この閉塞板５４は、棟包み５０の端部に略垂直に当接するようになっており、下部材１２の上壁１６に重なり合っていない棟包み５０の上壁部５１（すなわち棟包み上壁部５１の軒側）と棟包み５０の側壁５２との間の空間を塞ぐようになっている。
なお、当該閉塞板５４は、上部材１３の上壁２２の軒側と側壁２３とに固定された略四角形の板からなるものであり、上部材１３を屈曲成形する際に同時に屈曲成形するものであってもよく、別途製作した板を溶着することで形成してもよい。
【００３８】
また、覆い部材１４の桁行方向両側には、閉塞板５５が側壁２８と略同高さで設けられている。
この閉塞板５５の下端部は、棟包み５０の上壁部５１にほぼ垂直に突き当たるように配置されており、前記閉塞板５４と同様に換気装置１０内に棟包み５０を伝って雨水が入り込むことを防ぐようになっていると共に、桁行方向から空気が入らないようになっている。
雨水等の浸入をより効果的に防ぐために、閉塞板５５が棟包みの上壁部５１に当接している部分にはシーリング材を塗布しておくことが好ましい。
【００３９】
前述の如く、棟包み５０の切り取られた部分に設けられた換気装置１０は、下部材１２の上壁１６に棟包み５０の上壁部５１が上方から重合し、棟包み５０の側壁部５２より棟側に下部材１２の側壁１７が配置されるようになっている。
したがって、下部材１２の側壁１７と上部材１３の側壁２３とで挟まれた空間、すなわち、排気通路３５の一部が棟包み５０内部に設けられると共に、換気装置１０の下部が棟包み５０の下方に位置する構成となっている。
これにより、棟包みの上に下部材が配置され、その上方に排気通路が形成される従来の換気装置に比べ、屋根４の棟部に設置された当該換気装置１０はその高さを十分に低くすることが可能となっている。
【００４０】
本実施形態にかかる屋根の換気装置１０の設置方法は以下の通りである。
換気装置１０を取り付ける場合、まず、屋根開口部７が形成されている部分の棟包み５０を切り開いて取り去る。
次に、下部材１２を一対の屋根面４ａ，４ａ間に跨らせ且つ棟包み５０の開口された部分に嵌め込むように配置し、下部材１２の設置壁１８を防水材５７を介して屋根面４ａ上に載置して、釘等の締結具３１を上から打ち付けることで固定する。
【００４１】
なお、下部材１２の上壁１６には、それぞれ複数の第１連結部材４４がリベット等の締結具３２により固定されている。
その後、下部材１２の桁行方向側部に、取り去られていない棟包み５０の端を覆い被せるように配置する。
さらに、複数の第２連結部材４５及び邪魔板３８がリベット等の締結具３２により固定されている上部材１３を、下部材１２の上方から載せ、ビス等の締結具３３により第１連結部材４４の上壁部４６に固定する。
【００４２】
この際、上部材１３の折曲壁２４と下部材１２の設置壁１８とが当接する部分には、防水材５７を挟み込むことで雨水の浸入を防ぐようにすると共に、閉塞板５４が前記棟包み５０の端に略垂直に突き当たるようにする。
最後に、覆い部材１４を上部材１３の上から覆い被せ、該覆い部材１４の上壁２７を第２連結部材４５の上壁部４６上に載置する。
そして、この第２連結部材４５の上壁部４６と覆い部材１４の上壁２７とをビス等の締結具３３で締め付け固定すればよい。この場合も、閉塞板５５の下端部が棟包み傾斜部５１の外側に突き当たるようにする。
【００４３】
図５は、第２の実施の形態に係る換気装置１０を示しており、この実施の形態にあっては、風きり壁６０を上部材１３の側壁２３の上下中途部に設け、連通口２５を上部材１３の上壁２２から側壁２３の風きり壁６０上方側に亘って形成されている。
もし、風きり壁６０を設けないとした場合、連通口２５を上部材１３の上壁２２から側壁２３にわたって形成すると、連通口２５から排気通路３５に水が侵入する度合いが高くなるが、風きり壁６０を設けることにより、通風路３７の出入口３０から侵入する雨水を含んだ風の勢いを抑制することができ、これによって、水の侵入を防止できるので、連通口２５を上部材１３の上壁２２から側壁２３にわたって形成でき、連通口２５を上部材１３の上壁２２から側壁２３にわたって形成することにより、連通口２５を前記第１の実施の形態と梁行方向に同じ幅で広い面積の開口とすることができる。
【００４４】
その他の構成は、前記第１の実施の形態と略同様に構成される。
図６は、第３の実施の形態に係る換気装置１０を示しており、この実施の形態にあっては、上部材１３の上壁２２の連通口２５に対応する部分を梁行方向外方に向かうに従って下方に移行する傾斜状としたものであり、この実施の形態にあっても、連通口２５を前記第１の実施の形態と梁行方向に同じ幅で広い面積の開口とすることができる。
その他の構成は、前記第１の実施の形態と略同様に構成される。
【００４５】
前記第１〜３の各実施の形態において、図７に例示するように、覆い部材１４の側壁２８の下端側にガイド壁２９がなくても本願発明の風の勢いの抑制効果は十分にある。
なお、本発明にかかる屋根の換気装置１０は、前記実施の形態に限定されるものではなく種種設計変更可能である。
例えば、前記各実施の形態の換気装置１０において、覆い部材１４は設けられていなくてもよい（覆い部材１４が設けられていないタイプの屋根の換気装置に風切り壁６０を採用してもよい）。
【００４６】
この場合、上部材１３の上方から降ってきて、上部材１３の上壁２２に形成された開口（連通口）２５から侵入する雨水等を排水するために、上部材１３の側壁２３下端と、屋根面４ａ又は下部材１２との間に排水用開口が設けられる。
このものにあっても、梁行方向一方から他方に流れる横風が吹いた場合、該横風は、開口２５の直ぐ手前に設けられた風きり壁６０によって、上部材１３の上壁２２の開口２５の上方側の比較的高い位置に案内されるので、梁行方向一方から他方に流れる横風が開口２５を介して内部側に侵入する惧れを極めて少なくでき、覆い部材１４が設けられていないタイプの換気装置１０であっても、雨水を含んだ横風に対しての換気装置１０の防水性を高めることができ、さらに、覆い部材１４を設けることにより、積雪や上からの雨に強い構造の換気装置１０となる。
【００４７】
また、前記構成の換気装置１０において、下部材１２の排気口２０や上部材１３の連通口２５は、図２に示すような桁行方向に長い矩形である必要はなく、多数の円形孔によって構成されるものであってもよい。
さらに、図１において、外気は通風路３７を左から右へ流れている状態を図示しているが、右から左へ流れてもよく、その方向が適宜変化するものであっても、換気装置１０の換気性能には何ら影響を及ぼすものではない。
【００４８】
【発明の効果】
本発明によれば、屋根の棟部分に屋根開口部を設け、この屋根開口部の上方側に該屋根開口部を覆うように下部材を設け、この下部材の上方側に該下部材を覆うように上部材を設け、この上部材の上方側に該上部材を覆うように覆い部材を設け、覆い部材と上部材との間を、梁行方向一端側から他端側にわたって空気を流通させる通風路とし、下部材と上部材との間を屋根開口部から通風路へと空気を排気させる排気通路とした屋根の換気装置において、前記通風路の空気の出入口の内側に、該出入口から侵入する風の勢いを抑制するように、軒側から棟側に向けて凹設状とされた風圧抑制部を設けたことにより、内部の構造を複雑なものとすることなく、換気装置に必要な防水機能を簡単に且つ経済的に高めることができる換気装置を提供することができる。
【００４９】
また、屋根の棟部分に屋根開口部を設け、この屋根開口部の上方側に該屋根開口部を覆うように下部材を設け、この下部材の上方側に該下部材を覆うように上部材を設け、この上部材の上方側に該上部材を覆うように覆い部材を設け、覆い部材及び上部材は上壁とこの上壁の梁行方向両縁から下方側に延びる側壁とを備えており、これら覆い部材と上部材との間を、梁行方向一端側から他端側にわたって空気を流通させる通風路とすると共に、覆い部材の側壁下端と屋根との間を通風路の空気の出入口とし、下部材と上部材との間を屋根開口部からの空気を排気させる排気通路とし、この排気通路を通風路に連通させる連通口を上部材の上壁に設けた屋根の換気装置において、上部材の側壁から軒側に向けて突出する風きり壁を設けたことにより、通風路の出入口から侵入する風を風きり壁によって抑制でき、内部の構造を複雑なものとすることなく、換気装置に必要な防水機能を簡単に且つ経済的に高めることができる換気装置を提供することができる。
【００５０】
また、風きり壁を設けて、通風路の出入口付近で水の侵入を防止することにより、連通口を上部材の側壁にも形成でき、そして、風きり壁を上部材の側壁の上下中途部に設け、連通口を上部材の上壁から側壁の風きり壁上方側に亘って形成することにより、連通口を大きな面積の開口とすることができる。
また、覆い部材の側壁下端に、棟側に向けて延びるガイド壁を設けることにより、風きり壁による風の抑制効果を向上させることができる。
また、屋根の棟部分に屋根開口部を設け、この屋根開口部の上方側に該屋根開口部を覆うように下部材を設け、この下部材の上方側に該下部材を覆うように上部材を設け、この上部材は上壁とこの上壁の梁行方向両縁から下方側に延びる側壁とを備えており、下部材と上部材との間に屋根開口部からの空気を排気させる排気通路を設けると共に、上部材の上壁の軒側の端部側に、前記排気通路の空気を排気する開口を形成している屋根の換気装置において、
前記上部材の上壁に形成された開口の近傍に、上部材の側壁から軒側に向けて突出する風きり壁を設けたことにより、梁行方向一方から他方に流れる横風が吹いた場合、該横風は、開口の直ぐ手前に設けられた風きり壁によって、上部材の上壁の開口の上方側の比較的高い位置に案内されるので、梁行方向一方から他方に流れる横風が開口を介して内部側に侵入する惧れを極めて少なくでき、たとえ覆い部材が設けられていないタイプの屋根の換気装置であっても、雨水を含んだ横風に対しての換気装置の防水性を高めることができる。
【図面の簡単な説明】
【図１】本発明の第１の実施形態に係る換気装置の梁行方向の面での断面図である。
【図２】第１の実施の形態に係る換気装置の分解斜視図である。
【図３】第１の実施の形態に係る換気装置の連通口形成部分での断面図である。
【図４】第１の実施の形態に係る換気装置の連通口非形成部分での断面図である。
【図５】第２の実施の形態に係る換気装置の断面図である。
【図６】第３の実施の形態に係る換気装置の断面図である。
【図７】変形例に係る換気装置の断面図である。
【符号の説明】
４      屋根
７      屋根開口部
１２    下部材
１３    上部材
１４    覆い部材
１６    上壁
１７    側壁
２２    上壁
２３    側壁
２９    ガイド壁
３０    出入口
３５    排気通路
３７    通風路
６０    風きり壁
６１    風圧抑制部
【図１】
2004257196.tif 000003
【図２】
2004257196.tif 000004
【図３】
2004257196.tif 000005
【図４】
2004257196.tif 000006
【図５】
2004257196.tif 000007
【図６】
2004257196.tif 000008
【図７】
2004257196.tif 000009